(57)【特許請求の範囲】
【請求項１】
複数段に配置された支持枠と、この各段の支持枠に連結された補強用桟と、この各段の支持枠の外側に設けられた網地から成る外囲と、上記各段の支持枠に取り付けられていて上記外囲内に複数段の収納室を形成する網地から成る棚と、上記支持枠間の収納室の外囲に設けられた貝類の投入・排出用の口部と、上記支持枠の外周複数箇所に連結された複数本の吊りロープとを備え、上記口部として各支持枠から縦割れ目を形成するとともに縦割れ目の始端部の近傍若しくは縦割れ目の終部から左右両方向に上記支持枠と平行な切れ目を設けた連段養殖かご。
【請求項２】
外囲が複数枚の網地を縫合して形成されており，その縫合部分から適宜選択された１箇所に上段の支持枠から適宜の長さだけ縫合しないで残した部分を形成して上記縦割れ目とした請求項１に記載の連段養殖かご。
【発明の詳細な説明】
【技術分野】
【０００１】
本発明は、帆立貝、かき、真珠、アワビのような貝類の養殖に用いる養殖かごに関するものである。
【背景技術】
【０００２】
従来、この種の連段養殖かごとして実用新案登録第３０３７４５０号のものが知られている。詳しくは、図４に示したように、複数段に配置された支持枠１１と、この各段の支持枠１１に連結された補強用桟と、この各段の支持枠１１の外側に設けられた網地から成る外囲１２と、上記各段の支持枠１１に取り付けられていて上記外囲１２内に複数段の収納室１３を形成する網地から成る棚と、上記支持枠１１間の収納室１３の外囲１２に設けられた貝類の投入・排出用の口部１４と、上記支持枠の外周複数箇所に連結された複数本の吊りロープとを備え、上記口部１４として、上記収納室１３における中間部から上方部分に形成した縦割れ目１５と、この縦割れ目１５の中間部に続いて横方向に形成した切り裂き部１６とから成るものが知られている。
【０００３】
この連段養殖かごは、使用時に縦向きにすると、外囲１２の網地が上下方向に引張られて、貝類による荷重が加わらない状態でも縦割れ目１５がほぼ閉じた状態となるが、排出時に横向きにすると網地が張力を失い、縦割れ目１５と切り裂き部１６が貝類の落下を許すように拡開するようになっている。
【０００４】
この連段養殖かごは、養殖に際し、貝類を各収納室１３に投入後、口部１４を閉じ糸で縫って閉じたり、貝類の取り出し時に閉じ糸を外して口部１４を開放する煩わしい作業が不要であり、貝類の取り出しも、連段養殖かごの両端をつかんで横向きにし口部１４を下向きにして揺すれば、収納室１３内の貝類は口部１４の縦割れ目１５と切り裂き部１６が拡開して貝類はその自重により、拡開した口部１４から落下するので、養殖した貝類を取り出す際に便宜である。
【特許文献１】実用新案登録第３０３７４５０号公報（０００８、００１０  図１）
【発明の開示】
【発明が解決しようとする課題】
【０００５】
しかし、上記の連段養殖かごは、時間の経過と、外囲１２である網地のたるみによって、縦割れ目１５と切り裂き部１６によって形成される三角形の部分Ｄが、図５に示したように、外向きに垂れ下がってしまう癖がついてしまい、その結果、いつも口部１４が開いた状態となってしまう。これは、網地の三角形の部分Ｄの横の糸が縦の糸に何らの拘束力ももたないためである。
【０００６】
このため、切り裂き部１６の長さをあまり大きくすると、縦割れ目１５と切り裂き部１６によって形成される三角形の部分Ｄの外向きの垂れ下がりが大きくなり、口部１４が大きく開いた状態となるので、収納室１３に投入した貝類が連段養殖かごから脱落するおそれがあり、このため、切り裂き部１６の長さ、ひいては、口部１４を大きくするにしても自ずから制約がある。従って、実際には、両端をつかんで横向きにして軽く揺するぐらいでは貝類がなかなか落下せず、貝類の取り出しに苦労しているのが実情である。
【０００７】
そこで、本発明は、かかる連段養殖かごを改良し、時間の経過や外囲の網地にたるみが生じても、縦向きにした際には、貝類による荷重が加わらない状態でも外囲の網地の全体が口部に張力を与えるようにして口部を引っ張るようにすることにより口部周辺の自立を助けるようにし、海中にあるときには、自重や収納室内の貝類の重量や潮流による外囲の網地にかかる上下方向の引っ張りによって口部により強い張力を与えるようにして口部周辺の自立を助けるようにし、従って、養殖時には貝類の流出がなく、取り出し時にはより貝類が排出しやすくすることを目的とするものである。
【課題を解決するための手段】
【０００８】
上記課題を解決するための本発明の構成は、複数段に配置された支持枠と、この各段の支持枠に連結された補強用桟と、この各段の支持枠の外側に設けられた網地からなる外囲と、上記各段の支持枠に取り付けられていて上記外囲内に複数段の収納室を形成する網地から成る棚と、上記支持枠間の収納室の外囲に設けられた貝類の投入・排出用の口部と、上記支持枠の外周複数箇所に連結された複数本の吊りロープとを備え、上記口部として各支持枠から縦割れ目を形成するとともに縦割れ目の終部もしくはその近傍から左右両方向に上記支持枠と平行な切れ目を設けたことにある。
【０００９】
また、本発明は、上記縦割れ目の長さを、全体に縦向きにした際に縦割れ目以下の外囲の網地の全体が口部の切れ目付近に張力を与え、切れ目以下が自立を助ける張力を受ける範囲内の長さとしたものである。
【００１０】
上記縦割れ目の形成は、外囲となる複数枚の網地に、網地を取り付けた複数の支持枠を所定の間隔を配して紐等で固定し、外囲となる複数枚の網地を縫合して連段養殖かごを製造するとき、外囲となる複数枚の網地を縫合する際に、支持枠の直下の適宜長さだけを縫合せずに残して形成するのが有利である。
【００１１】
そして、上記縦割れ目の長さは、全体を縦向きにした際に外囲の網地の全体が口部の切れ目付近に与える張力を大きくするため、そして、養殖時或いは運搬時には貝類が流出することがなく、しかし、取り出し時には貝類が排出しやすいように、適当な長さとすることが望ましい。
【００１２】
また、上記切れ目は、上方の支持枠との間隔が大きいと、切れ目の上方から養殖時或いは運搬時に貝類が流出するおそれが大きくなるため、上方の支持枠に近接して設けることが好ましく、また、上記縦割れ目の終部よりもあまりに上方の位置に設けることは、外囲の切れ目よりも下方の上記縦切れ目の終部までの部分が垂れ下がってしまい、この部分から養殖時或いは運搬時に貝類が流出するおそれが大きくなるので、好ましくない。
【００１３】
上記切れ目の長さは、養殖時の引っ張り荷重により連段養殖かごが破断するおそれがない範囲で任意に定めることができる。
【発明の効果】
【００１４】
以上説明したように、本発明によれば、連段養殖かごにおいて、時間の経過や外囲の網地にたるみが生じても、口部或いは口部周辺が外方向に垂れ下がることがなく、このため、養殖時或いは運搬時に貝類が流出するおそれがなく、しかも、取り出し時には貝類が排出しやすくなるのである。
【実施例１】
【００１５】
以下、図１及び図２を参照して、本発明の実施の一例を説明する。
【００１６】
図１及び図２に示すように、円形の支持枠１が所望間隔をおいて上下方向に複数段に配置されている。各段の支持枠１には、それぞれ十字状に交差させて紐等で連結した補強用桟２がその末端を折り返すことにより取り付けられている。
【００１７】
支持枠１の外側には網状物、図示例では合成繊維製の網地から成る外囲３が紐等により取り付けられている。外囲３は、適数枚の網地から成り、それぞれの境界を閉じ糸（図示せず）で縫合して形成されている。そして、各段の支持枠１上には、網状物、図示例では合成繊維製の網地が張設されていて棚４となっており、上部の支持枠１の棚４と下部の支持枠１の棚４と外囲３によって、収納室５が多段にわたって形成されている。
【００１８】
そして、各段の支持枠１の外周の補強用桟２の取付け部位には、それぞれ吊りロープ６の中間部が連結され、計４本の吊りロープ６の上方突出部と下方突出部は支持枠１のほぼ中心線上で束ねられている。吊りロープ６の上端には必要に応じて連段養殖かごを浮かせるための浮玉（図示せず）が取り付けられ、吊りロープ６の下端には必要に応じて重り（図示せず）が取り付けられる。
【００１９】
前記の通り、外囲３は、適数枚の網地、図示例では４枚の網地を支持枠１に沿って円周方向に張りめぐらせてなり、それぞれの境界を閉じ糸（図示せず）で縫合して形成されているが、４箇所の縫合部分から適宜選択された１箇所には、収納室５に養殖対象の貝類を投入し、或いは、収納室５から養殖対象の貝類を排出するための口部１４が設けられる。
【００２０】
上記口部１４は、上段の支持枠１から適宜の長さだけ縫合しないで残した部分により形成される縦割れ目７と、この縦割れ目７の終部７ａ近傍から左右両方向に支持枠１と平行に入れた切れ目８とから成るものである。図示例では、外囲３として支持枠１と次段の支持枠１の間に１４の目が入る網地を用い、隣接する網地と下段の支持枠１から１０番目の目まで閉じ糸１０で縫合９し、そこから上段の支持枠１までの４つの目を縫合しないで縦割れ目７とし、さらに、上段の支持枠１から数えて３．５目め、下段の支持枠１から数えて１０．５目めの網糸を左右方向にそれぞれ７．５目づつ支持枠１と平行に切って切れ目８を形成している。
【００２１】
上記図示例は、収納室５上方の縦割れ目７の始端部７ｂ近傍から、即ち終部７ａから若干の距離αを介して始端部７ｂ寄りに切れ目８が左右両方向に設けられており、かつ、縦割れ目７の終部７ａ以下は縫合されているから、運搬時に貝類が流出するおそれがなく、また、使用時には連段養殖かごに下方向への引っ張り荷重が働いてこの引っ張り荷重が縫合されている縦割れ目７の終部７ａ以下の外囲３の網糸を横方向及び斜め方向に引っ張る（図２にて矢印で示す）ので口部１４の切り裂かれた網地Ｄ１が外側に垂れ下がることがない。従って、養殖時にも貝類が収納室５から流出するおそれがない。しかも、取り出し時には切れ目８の上方の外囲３が縦割れ目７によって外方向にめくれた状態となるので口部１４は拡開し、貝類の排出がすこぶる容易となる。
【００２２】
尚、外囲３に使用する網地の目の粗密は養殖対象、或いは、養殖対象の寸法等によって適宜選択されることはいうまでもない。
【実施例２】
【００２３】
図３は、本発明の実施の別の例を示すもので、上記実施例１が切れ目８を縦割れ目７の終部７ａの上方で始端部７ｂ近傍に設けたのに対して、切れ目８を縦割れ目７の終部７ａより左右両方向に支持枠１と平行に形成したものである。
【００２４】
前記実施例１のように、切れ目８を縦割れ目７の終部７ａの上方に設けると、切れ目８の位置によっては、切れ目８の下方の外囲３（Ｄ１部分）が縦割れ目７によって外方向に垂れ下がる傾向を示すことがある。帆立貝の最終育成段階に用いられる連段養殖かごのように、外囲３に使用する網地の目がきわめて粗い場合には、本例のように、切れ目８を縦割れ目７の終部７ａより左右両方向に支持枠１と平行に形成するのが効果的である。
【図面の簡単な説明】
【００２５】
【図１】本発明の１実施形態に係る連段養殖かごの概略図である。
【図２】図１の実施形態に係る連段養殖かごの口部の説明図である。
【図３】本発明の別の実施形態に係る連段養殖かごの口部の説明図である。
【図４】従来の連段養殖かごの口部の説明図である。
【図５】従来の連段養殖かごの網地のたるみが生じた場合の口部の状態を示す説明図である。
【符号の説明】
【００２６】
１          支持枠
２          補強用桟
３          外囲
４          棚
５          収納室
６          吊りロープ
７          縦割れ目
７ａ 縦割れ目７の終部
７ｂ 縦割れ目７の始端部
８          切れ目
１１          支持枠
１２          外囲
１３          収納室
１４          口部
１５          縦切れ目
１６          切り裂き部
【図２】
0004242236.tif 000002
【図３】
0004242236.tif 000003
【図１】
0004242236.tif 000004
【図４】
0004242236.tif 000005
【図５】
0004242236.tif 000006